(57)【要約】【課題】  消費者などの購入者に、販売する果物そのものを確認させるとともに、購入者へ、販売する果実そのものの糖度情報を提供すること。【解決手段】  果実販売システムのカラー撮像手段２８は、販売する果実５を撮像する。糖度検出手段２７は、果実５の糖度を非接触に検出する。通信手段７１は、購入者が使用する端末７４が接続可能なネットワーク７２に接続され、カラー撮像手段２８により撮像された果実５のカラー画像および糖度検出手段２７により検出された果実５の糖度情報を、該ネットワーク７１へ送出する。【選択図】  図２
2006309327.tif 000002
【特許請求の範囲】
【請求項１】
果実を撮像するカラー撮像手段と、
上記果実の糖度を非接触に検出する糖度検出手段と、
購入者が使用する端末が接続可能なネットワークに接続され、上記カラー撮像手段により撮像された果実のカラー画像および上記糖度検出手段により検出された果実の糖度情報を、該ネットワークへ送出する通信手段と、
を有することを特徴とする果実販売システム。
【請求項２】
前記果実は、温室内で育成されているマンゴ、イチゴ、スイカ、その他の果実であり、少なくとも前記カラー撮像手段および前記糖度検出手段は、該温室内に設置されていることを特徴とする請求項１記載の果実販売システム。
【請求項３】
果実毎にあるいは前記果実のグループ毎に互いに異なる識別文字列が記載され、前記カラー撮像手段によりその販売するそれぞれの果実あるいはそれぞれのグループとともに撮像可能なタグを有することを特徴とする請求項１または２記載の果実販売システム。
【請求項４】
前記果実のなる植物が植物毎にあるいは所定数の植物毎に植えられる容器を有し、
前記タグに記載される識別文字列は、上記容器毎に共通な文字列を含むものであることを特徴とする請求項３記載の果実販売システム。
【請求項５】
前記果実のなる植物が植物毎にあるいは所定数の植物毎に植えられる容器と、
上記容器毎に容器内の土壌へ水あるいは栄養水を供給する給水装置と、
果実の容器への給水量を、その果実を収穫する時期の一般的な給水量より制限する制御手段と、
を有することを特徴とする請求項１から４の中のいずれか１項記載の果実販売システム。
【発明の詳細な説明】
【技術分野】
【０００１】
本発明は、マンゴ、イチゴ、スイカ、その他の果実を、ネットワークを通じて販売する果実販売システムに関する。
【背景技術】
【０００２】
特許文献１は、ネット販売システムを開示する。このネット販売システムでは、農産物、水産物あるいはそれらの加工物などの生産者は、商品提供者端末を用いて商品提示サーバに、商品情報、生産環境情報、トマトの甘味や酸度などの情報などを登録する。消費者は、クライアント端末を用いて商品提示サーバに登録された登録情報を閲覧し、商品を注文する。生産者は、商品提示サーバに注文された商品を消費者へ出荷する。
【０００３】
【特許文献１】特開２００３−２５６６７９号公報（要約、発明の詳細な説明など）
【発明の開示】
【発明が解決しようとする課題】
【０００４】
マンゴ、イチゴ、スイカ、その他の果実は、特許文献１のネット販売システムを使用することで、ネットワークを通じて生産者が販売することが可能である。この場合、消費者は、クライアント端末を用いて商品提示サーバへアクセスすることで、果実の生産者と結び付けられる。消費者は、果実を、生産者から購入することができる。
【０００５】
しかしながら、この特許文献１のネット販売システムでは、消費者は、果実に関する情報として、生産者により予めサーバに登録された情報を確認することになる。そのため、消費者は、その生産者が登録した、販売商品に関する一般的な商品情報、一般的な生産環境情報、一般的な甘味に関する情報などしか確認することができない。消費者は、産直販売所において果実を購入する場合にあっては、販売されている果実を１つづつ実際に手にとり、自分の目で見て、試食してみれば判るであろう事柄、すなわち実際に購入する果実そのものについての情報を得ることはできない。
【０００６】
また、マンゴ、イチゴ、スイカ、その他の果実などにあっては、その生産環境などに応じて甘さなどのおいしさに差が生じる。また、果物のおいしさは、その鮮度に応じても変化する。一般的に、収穫後の時間が経過した果実は、収穫直後の果実よりおいしくない。
【０００７】
その結果、サーバに登録された情報を信用して果実を購入した消費者には、期待通りの果実が提供されるとは限られない。生産者において消費者を欺くつもりがないとしても、消費者は、その期待が裏切られたと感じてしまう恐れがある。
【０００８】
本発明は、消費者などの購入者に、販売する果物そのものを確認させるとともに、販売する果実そのものの糖度情報を提供することができる果実販売システムを得ることを目的とする。
【課題を解決するための手段】
【０００９】
本発明に係る果実販売システムは、果実を撮像するカラー撮像手段と、果実の糖度を非接触に検出する糖度検出手段と、購入者が使用する端末が接続可能なネットワークに接続され、カラー撮像手段により撮像された果実のカラー画像および糖度検出手段により検出された果実の糖度情報を、該ネットワークへ送出する通信手段と、を有するものである。
【００１０】
この構成を採用すれば、果実そのもののカラー画像および糖度情報を、ネットワークを通じて提供することができる。その結果、購入者は、ネットワークを通じて、実際に販売される果物そのものの見た目と糖度とを確認することができる。購入者は、カラー画像により販売されている果実の色、形、大きさ、出来具合を確認し、糖度情報により販売される果実の甘さを確認することができる。
【００１１】
本発明に係る果実販売システムは、上述した発明の構成に加えて、果実が、温室内で育成されているマンゴ、イチゴ、スイカ、その他の果実であり、少なくともカラー撮像手段および糖度検出手段は、該温室内に設置されているものである。
【００１２】
この構成を採用すれば、販売者は、マンゴ、イチゴ、スイカ、その他の果実を、温室内で育成している状態のままで、販売することができる。新鮮な果実を販売することができる。
【００１３】
本発明に係る果実販売システムは、上述した発明の各構成に加えて、果実毎にあるいは果実のグループ毎に互いに異なる識別文字列が記載され、カラー撮像手段によりその販売するそれぞれの果実あるいはそれぞれのグループとともに撮像可能なタグを有するものである。
【００１４】
この構成を採用すれば、購入者は、複数の果実あるいは複数の果実がグループ毎に同時に販売されている場合であっても、実際に購入する果実を確認したカラー画像に撮像されている識別文字列により指定することができる。また、販売者は、複数の果実あるいは複数の果実のグループを同時に販売する場合であっても、購入者が指定した識別文字列に基づいて、購入者が購入のために指定した果実あるいは果実のグループを一意に特定することができる。
【００１５】
本発明に係る果実販売システムは、上述した発明の各構成に加えて、果実のなる植物が植物毎にあるいは所定数の植物毎に植えられる容器を有し、タグに記載される識別文字列が、容器毎に共通な文字列を含むものである。
【００１６】
この構成を採用すれば、販売者は、多くの果実を同時に販売する場合であっても、その中から、各購入者が購入のために指定した果実あるいは果実のグループを容易に特定することができる。
【００１７】
本発明に係る果実販売システムは、上述した発明の各構成に加えて、果実のなる植物が植物毎にあるいは所定数の植物毎に植えられる容器と、容器毎に容器内の土壌へ水あるいは栄養水を供給する給水装置と、果実の容器への給水量を、その果実を収穫する時期の一般的な給水量より制限する制御手段と、を有するものである。
【００１８】
この構成を採用すれば、販売者は、販売する果実の糖度を、一般的に販売されているものより高くして販売することができる。通常のものよりも甘い果実を販売することができる。
【発明の効果】
【００１９】
本発明では、消費者などの購入者に、販売する果物そのものを確認させるとともに、購入者へ、販売する果実そのものの糖度情報を提供することができる。
【発明を実施するための最良の形態】
【００２０】
以下、本発明の実施の形態に係る果実販売システムを、図面に基づいて説明する。果実販売システムは、遠隔地から、マンゴの果実を育成して販売する遠隔育成販売システムを例として説明する。
【００２１】
図１は、実施の形態に係る遠隔育成販売システムにより育成されるマンゴの木１の鉢植えを示す説明図である。植物の一種であるマンゴの木１は、１本毎に、容器としての鉢２に植えられる。
【００２２】
鉢植えに使用する鉢２は、陶器製のものであってもよいが、プラスチック製のものが好ましい。たとえば、プラスチック製のポリバケツを鉢２として利用するとよい。プラスチック製のポリバケツは、陶器製の鉢２より軽量であり、且つ、取っ手を有する。そのため、陶器製の鉢２に比べて持ち運びが容易である。マンゴの木１を地面に植えて育成する場合、そのマンゴの木１を移動するときには、それを地面から掘り出し、根についている土壌３を固める作業が必要となるが、ポリバケツで育成することで、そのまま持ち運ぶことが可能となり、そのような作業が不要となる。
【００２３】
鉢２の内側には、図１に示すように、鹿沼土などの樹木用の土壌３が、加熱による減菌処理を施された上で収容される。土壌３の表面は、外の土が混ざらないように、図示外のビニールシート１３などで蓋をされている。これにより、見た目もきれいになる。なお、この土壌３には、後述する土壌水分センサ２６が挿入される。土壌３の上には、リング状の給水管５１が載置される。
【００２４】
１つの鉢２には、１本のマンゴの木１が植えられる。マンゴの木１が育ち、鉢２が小さくなった場合には、より大きい鉢２へ植え替える。プラスチック製のポリバケツには、大中小各種のサイズのものが安価に提供されている。プラスチック製のポリバケツを使用すれば、マンゴの木１の育成段階に応じた植え替えが安価に可能となる。１本ずつ木を植えたとしても、コストアップを抑えることができる。また、このように１本毎に鉢植えにすることで、木を植え替える際に、木の根から土が剥がれてしまう危険性を低減できる。木の根から土が剥がれてしまうと、その根毛が切れてしまい、木は枯れてしまう。また、１本毎に鉢植えすることで、鉢２の向きを回転し、木や果実に対して、均一に日光をあてることができる。
【００２５】
マンゴの木１が植えられる鉢２には、後述する図２に示すように、ラベル４が貼着される。ラベル４には、識別番号が印刷される。この識別番号は、少なくとも、温室１１内で使用する複数の鉢２を互いに区別可能なものであればよい。なお、識別番号は、たとえば、アルファベット、数字、漢字、ひらがななどの各種の文字を組み合わせたものとすればよい。
【００２６】
マンゴの木１には、複数の果実５がなる。マンゴの木１には、当初、マンゴの花毎に小さい果実５が多数なる。マンゴの木１は、その発育途中において、果実５を自然に落とし、果実５の数を減らす。１つのマンゴの木１において１ｃｍ程度の大きさに育つ果実５の個数は、数個（たとえば５個程度）である。この実施の形態では、そのように１ｃｍ程度に育った果実５を間引き、１本のマンゴの木１の果実５の個数を１〜２個とする。
【００２７】
各果実５の近くには、タグ６が配設される。タグ６は、たとえば果実５がなっている枝にぶら下げればよい。タグ６には、識別番号が印刷される。この識別番号は、少なくとも、温室１１内で育成される複数の果実５を互いに区別可能なものであればよい。
【００２８】
特に、この果実５毎に設けられるタグ６の識別番号は、以下のようにするとよい。すなわち、タグ６に印刷される識別番号は、そのタグ６が配設される木１が植えられた鉢２の識別番号と、そのタグ６が配設される木１において複数の果実５を互いに区別可能な識別番号とを組み合わせた番号とするとよい。このようにタグ６に印刷される識別番号の一部に鉢２の識別番号を含めることで、果実５がその識別番号にて指定された場合に、まず鉢２を特定し、次にその鉢２内での番号に基づいて指定された果実５を容易に特定することができる。
【００２９】
図２は、実施の形態に係る遠隔育成販売システムの構成を示すシステム構成図である。図３は、図２の遠隔育成販売システムで用いる各種のセンサの温室１１内の配置の一例を示す図である。
【００３０】
遠隔育成販売システムは、温室１１を有する。温室１１は、図３に示すように、３つの三角屋根を有するビニールハウスである。ビニールハウスは、日光を透過する透明なビニールを用いて形成される。温室１１内には、図１の鉢２が複数並べて配設される。
【００３１】
温室１１の外には、雨滴センサ２１、風向風力センサ２２、日照センサ２３が配設される。雨滴センサ２１は、雨を検出する。風向風力センサ２２は、温室１１の外の風向きと風力を検出する。日照センサ２３は、太陽の光の強度を検出する。
【００３２】
温室１１の各屋根の頂部には、図３に示すように、一対の可動天窓３１が配設される。可動天窓３１は、図２に示すように、第一駆動モータ３２に接続される。第一駆動モータ３２により可動天窓３１は、開閉する。可動天窓３１が開いたときに可動天窓３１と温室１１の屋根との間に形成される隙間には、図示外の防虫ネットが配設される。防虫ネットは、網戸と同様の構造を有する。これにより、通気性を確保しつつ、虫の温室１１内への侵入を防止することができる。
【００３３】
温室１１の側面には、図３に示すように、防虫ネット１２が配設される。防虫ネット１２の外側には、外部ロールカーテン３３が配設される。外部ロールカーテン３３は、透明なビニールからなり、防虫ネット１２の全体を覆うサイズに形成される。外部ロールカーテン３３は、図２に示すように、第二駆動モータ３４に接続される。第二駆動モータ３４により外部ロールカーテン３３は巻き取られ、昇降する。外部ロールカーテン３３が巻き上げられると、防虫ネット１２が露出する。これにより、通気性を確保しつつ、虫の温室１１内への侵入を防止することができる。
【００３４】
温室１１の床面は、コンクリート製であり、その上に図３に示すようにビニールシート１３が配設される。このビニールシート１３は、日光の一部を反射する半反射構造を有する。日光があたると、果実５は色づく。日光の一部を反射するビニールシート１３を床面に敷くことで、果実５の下部を上部と同様に色づかせることができる。果実５の色づきが全体的によくなる。また、ビニールシート１３は、銀マットのように日光をすべて反射することはない。ビニールシート１３の反射光が強くなりすぎないので、マンゴの木１の新芽が枯れてしまうことはない。したがって、温室１１内で、マンゴの木１を、生育期から収穫期まで育てることができる。
【００３５】
また、コンクリート製の平らな床の上にビニールシート１３を敷くことで、床に落下した果実５や葉などを掃除機などで容易に掃除することができる。鉢２は、地面から切り離されているので、地中の細菌などが鉢２内へ移ることはない。鉢２に植えられるマンゴの木１の消毒回数を減らすことができる。なお、温室１１の出入り口には、無菌室などの入口と同様に図示外の粘着マットが配設される。これにより温室１１に出入りする人による外部の土の持ち込みを抑制することができる。
【００３６】
ビニールシート１３が敷かれた床面には、枠部材１４が立設される。図１に示す鉢植えは、この枠部材１４内に複数並べて配設される。また、ビニールシート１３が敷かれた床面には、複数のヒータ３９が配設される。ヒータ３９の温風出口には、ビニール製のダクト４２が取り付けられる。ダクト４２の先端は、複数に分かれ、温室１１の中央部分に並べて配設される。
【００３７】
枠部材１４の天井部分には、図３に示すように、天井ロールスクリーン３５が配設される。天井ロールスクリーン３５は、透明なビニールからなり、図２に示すように、第三駆動モータ３６に接続される。したがって、第三駆動モータ３６により天井ロールスクリーン３５は巻き取られ、開閉する。
【００３８】
枠部材１４の側面部分には、図３に示すように、内部ロールカーテン３７が配設される。内部ロールカーテン３７は、透明なビニールからなり、図２に示すように、第四駆動モータ３８に接続される。したがって、第四駆動モータ３８により内部ロールカーテン３７は巻き取られ、昇降する。
【００３９】
天井ロールスクリーン３５が閉じ且つ内部ロールカーテン３７が降りた状態では、枠部材１４の内側は、その外側と隔離される。３対の可動天窓３１が閉じ、外部ロールカーテン３３が下りた状態では、温室１１の内側は、外界と隔離される。これにより、温室１１内に配設される複数のマンゴの木１は、二重に被覆され、外気の影響を受け難くなる。
【００４０】
枠部材１４には、複数のファン４０と、複数の室温センサ２４と、複数の湿度センサ２５と、カラー撮像手段としてのネットワークカメラ２８とが吊り下げられている。さらに、枠部材１４の内側には、除湿機４１が配設される。なお、図２では、これら各構成要素は、１つずつ図示している。図３では、ファン４０以外の上記各構成要素は、１つずつ図示している。
【００４１】
ファン４０は、温室１１内の空気を循環する。室温センサ２４は、温室１１内の温度を検出し、表示する。湿度センサ２５は、温室１１内の湿度を検出し、表示する。ネットワークカメラ２８は、その向きを水平面内および垂直面内で制御可能であり、且つ、ズーム機能を有する。ネットワークカメラ２８は、カラー画像を撮像する。除湿機４１は、空気を除湿する。
【００４２】
また、温室１１内には、複数の鉢２に対して給水する給水装置が配設される。図４は、図２の遠隔育成販売システムの温室１１で用いる給水装置の構成を示す図である。なお、図４において、鉢２はその上方から見た状態で示している。給水装置は、各鉢２に配設される複数のリング状の給水管５１を有する。リング状の給水管５１は、鉢２と１対１対応で設けられる。複数の給水管５１は、鉢植えの育成段階に応じた給水グループ毎に、６系統に分けられる。複数の給水管５１は、給水グループ毎に、電磁弁装置３０に接続される。６つの電磁弁装置３０には、加圧ポンプ５２が接続される。
【００４３】
電磁弁装置３０は、開閉動作する。電磁弁装置３０が開くと、加圧ポンプ５２から送出された水は、給水管５１を介して鉢２内へ供給される。加圧ポンプ５２は、その送出する水の圧力を一定に保つ。したがって、電磁弁装置３０が開いている期間には、加圧ポンプ５２による一定の圧力の下で、鉢２に水が供給される。各給水グループの複数の鉢２には、電磁弁装置３０が開いている期間の長さに応じた所定の量の水が供給される。各給水グループの複数の鉢２に供給される水量は、略等しい。
【００４４】
また、この給水グループ毎に、糖度検出手段としての１つの糖度センサ２７と、１つの土壌水分センサ２６とが設けられる。
【００４５】
糖度センサ２７は、糖度測定対象物（ここではマンゴの果実５）に近接して設置され、その糖度測定対象物の糖度を光学的に且つ非接触に検出する。
【００４６】
土壌水分センサ２６は、土壌３による水分の吸引圧力に基づいて土壌３の水分量を検出する。農業では、土壌水分の値としてｐＦ値（プレッシャファクタ値）が汎用される。
【００４７】
図４に示すように、電磁弁装置３０から最も給水距離が短い鉢２の土壌３に土壌水分センサ２６が配設され、その鉢２に植えられたマンゴの木１になる１つの果実５に対して糖度センサ２７が設置される。
【００４８】
図２に戻り、温室１１内にはさらに、制御手段としてのコントローラ６１が配設される。コントローラ６１は、たとえば図示外の中央処理装置、ＲＡＭ（Ｒａｎｄｏｍ  Ａｃｃｅｓｓ  Ｍｅｍｏｒｙ）、フラッシュメモリ、ＬＡＮ（Ｌｏｃａｌ  Ａｒｅａ  Ｎｅｔｗｏｒｋ）通信Ｉ／Ｆ、ＡＤコンバータ、入出力ポートおよびこれらを接続するシステムバスなどを有する。そして、中央処理装置がフラッシュメモリに記憶されるコントロールプログラムをＲＡＭに読み込んで実行することで、コントローラ６１が実現される。
【００４９】
コントローラ６１には、検出系として、雨滴センサ２１と、風向風力センサ２２と、日照センサ２３と、室温センサ２４と、湿度センサ２５と、６つの土壌水分センサ２６と、６つの糖度センサ２７とが接続される。また、コントローラ６１には、制御系として、６つの電磁弁装置３０と、第一駆動モータ３２と、第二駆動モータ３４と、第三駆動モータ３６と、第四駆動モータ３８と、複数のヒータ３９と、複数のファン４０と、除湿機４１とが接続される。なお、これら各種の装置は、実際には、コントローラ６１としてのコンピュータのＡＤコンバータあるいは入出力ポートに接続される。
【００５０】
コントローラ６１は、判定テーブル６２と、ログデータ６３とを記憶する。判定テーブル６２とログデータ６３とは、実際には、コントローラ６１としてのコンピュータのフラッシュメモリに記憶される。コントローラ６１には、ＬＡＮ６４が接続される。ＬＡＮ６４は、実際には、コントローラ６１としてのコンピュータのＬＡＮ通信Ｉ／Ｆに接続される。
【００５１】
判定テーブル６２は、検出系の検出値と比較される判定値と、その検出値と判定値との比較に基づいて設定する制御系の制御値とが対応付けて記憶される。たとえば、温室１１内の室温の上限判定値として２８度と、その場合の風上の天窓開度の制御値として１００％（全開）とが対応付けて記憶される。
【００５２】
ログデータ６３は、検出系の検出値を時系列に蓄積したデータである。
【００５３】
ＬＡＮ６４には、コントローラ６１以外にも、ネットワークカメラ２８と、通信手段としてのサーバ装置７１とが接続される。サーバ装置７１は、たとえば温室１１に隣接する図示外の管理棟などに設置される。ＬＡＮ６４には、たとえばイーサネット（登録商標）ケーブル、ツイストペアケーブルなどを用いた通信方式のものが使用可能である。なお、サーバ装置７１が温室１１内などに配設され、サーバ装置７１とコントローラ６１およびネットワークカメラ２８との距離が短い場合には、ＵＳＢ（Ｕｎｉｖｅｒｓａｌ  Ｓｅｒｉａｌ  Ｂｕｓ）ケーブル、その他のＰＣと周辺機器を接続する通信方式のものを使用するようにしてもよい。
【００５４】
サーバ装置７１は、またネットワークとしての通信網７２に接続される。通信網７２には、たとえばインターネット、ＡＴＭ（Ａｓｙｎｃｈｒｏｎｏｕｓ  Ｔｒａｎｓｆｅｒ  Ｍｏｄｅ）交換網、無線通信網、携帯電話網、ＣＡＴＶ通信網、あるいはこれらを組み合わせた通信網などがある。これらの通信網には、不特定多数のユーザが使用する端末がデータ通信可能に接続される。
【００５５】
通信網７２には、サーバ装置７１の他にも、管理者端末７７と、果実５の購入者が使用する端末としてのユーザ端末７４とが接続される。管理者端末７７は、モニタ７８および入力デバイス７６を有する。ユーザ端末７４は、モニタ７５および入力デバイス７３を有する。なお、管理者端末７７やユーザ端末７４の個数は、１台に限られるものではない。
【００５６】
なお、ユーザ端末７４は、所謂パーソナルコンピュータであっても、携帯電話端末であっても、ＰＤＡ（Ｐｅｒｓｏｎａｌ  Ｄａｔａ  Ａｓｓｉｓｔａｎｔ）などのデータ通信可能な携帯情報端末であってもよい。
【００５７】
次に、以上の構成を有する実施の形態に係る遠隔育成販売システムの動作を説明する。まず、果実５の育成に関する制御動作を説明する。
【００５８】
管理者端末７７は、管理者による入力デバイス７６への所定のパスワードなどの入力操作に基づいて、判定テーブル６２の送信要求を生成し、通信網７２へ送出する。サーバ装置７１は、通信網７２へ送出された判定テーブル６２の送信要求を受信する。サーバ装置７１は、コントローラ６１に判定テーブル６２の送信を要求する。コントローラ６１は、その内部のフラッシュメモリに記憶する判定テーブル６２を読み込み、そのデータをサーバ装置７１へ送信する。
【００５９】
サーバ装置７１は、コントローラ６１から受信した判定テーブル６２のデータを文字列へ変換し、所定のテーブル形式に割り付けた判定テーブルの表示画面を生成する。サーバ装置７１は、生成した判定テーブルの表示画面のデータを通信網７２を介して管理者端末７７へ送信する。
【００６０】
管理者端末７７は、通信網７２から判定テーブルの表示画面のデータを受信し、それをモニタ７８に表示する。図５は、管理者端末７７のモニタ７８に表示される判定テーブル６２の表示画面である。判定テーブル６２の表示画面には、判定値と制御値とを対応付けたテーブル８１が表示される。図５に示す画面がモニタ７８に表示されている状態で、管理者により入力デバイス７６が操作されると、管理者端末７７は、入力された判定値と制御値との対応付けにより判定テーブル６２を更新する。なお、制御値は、０〜１００％の値などで登録される。
【００６１】
たとえば、管理者により、土壌水分量の検出値が所定の判定値（たとえば１．４）より小さくなったら電磁弁装置３０を開く制御の登録が指示されると、管理者端末７７は、その判定値と制御値との対応付けを判定テーブル６２に登録する。管理者により、土壌水分量の検出値が所定の判定値（たとえば２．２）より大きくなったら電磁弁装置３０を開く制御の登録が指示されると、管理者端末７７は、その判定値と制御値との対応付けを判定テーブル６２に登録する。なお、土壌３の水分量は、その検出値が小さいときに少ない。
【００６２】
他にもたとえば、管理者により、日照量が所定の判定値以上になったら天井ロールスクリーン３５を全開にする制御の登録が指示されると、管理者端末７７は、その判定値と制御値との対応付けを判定テーブル６２に登録する。管理者により、日照量が所定の判定値以下になったら、一対の可動天窓３１、外部ロールカーテン３３、内部ロールカーテン３７および天井ロールスクリーン３５を閉じる制御の登録が指示されると、管理者端末７７は、その判定値と制御値との対応付けを判定テーブル６２に登録する。
【００６３】
他にもたとえば、管理者により、温室１１の温度が所定の判定値（たとえば２８度）以上になったら、風上の可動天窓３１を５０％開く制御の登録が指示されると、管理者端末７７は、その判定値と制御値との対応付けを判定テーブル６２に登録する。また、管理者により、その制御中に雨が降ってきた場合には、可動天窓３１を閉じて風上の外部ロールカーテン３３を５０％開く制御の登録が指示されると、管理者端末７７は、その判定値と制御値との対応付けを判定テーブル６２に登録する。管理者により、風上の可動天窓３１を８０％開いた後の一定期間後に室温が２８度以下に下がらない場合には、外部ロールカーテン３３を８０％開く制御の登録が指示されると、管理者端末７７は、その判定値と制御値との対応付けを判定テーブル６２に登録する。
【００６４】
他にもたとえば、管理者により、温室１１の温度が２０度以下になったら、一対の可動天窓３１、外部ロールカーテン３３、内部ロールカーテン３７および天井ロールスクリーン３５を閉じるとともに、ヒータ３９を作動する制御の登録が指示されると、管理者端末７７は、その判定値と制御値との対応付けを判定テーブル６２に登録する。
【００６５】
他にもたとえば、管理者により、風速が１７ｍ／ｓ以上になったら、一対の可動天窓３１を閉じ、外部ロールカーテン３３を５０%開く制御の登録が指示されると、管理者端末７７は、その判定値と制御値との対応付けを判定テーブル６２に登録する。
【００６６】
他にもたとえば、管理者により、温室１１内の湿度が６０〜７０％の範囲内の所定値を超えたら、除湿機４１を作動する制御の登録が指示されると、管理者端末７７は、その判定値と制御値との対応付けを判定テーブル６２に登録する。管理者により、その後に温室１１内の湿度が４５%以下になったら、除湿機４１を停止する制御の登録が指示されると、管理者端末７７は、その判定値と制御値との対応付けを判定テーブル６２に登録する。湿度が７０％を超えると、植物の病気の発生率が高くなる。
【００６７】
以上のような各種の判定値と設定値と対応付けにより判定テーブル６２を更新すると、管理者端末７７は、管理者による図５に示す送信ボタン８２の操作に基づいて、更新した判定テーブル６２のデータを、通信網７２を介してサーバ装置７１へ送信する。サーバ装置７１は、通信網７２から受信した判定テーブル６２のデータを、ＬＡＮ６４を介してコントローラ６１へ送信する。コントローラ６１は、そのフラッシュメモリに記憶する判定テーブル６２を受信した判定テーブル６２のデータで上書きする。
【００６８】
コントローラ６１は、予め定められたスケジュールにて繰り返し、検出系の各種の検出値を取得し、その取得した各種の検出値と判定テーブル６２との比較を実行する。そして、検出値と判定値とが判定テーブル６２に登録された所定の関係にある場合、コントローラ６１は、それに応じて制御系の制御値を、判定テーブル６２においてその判定値と対応付けられた制御値に更新する。コントローラ６１は、判定テーブル６２に登録された制御値で、６つの電磁弁装置３０、第一駆動モータ３２、第二駆動モータ３４、第三駆動モータ３６、第四駆動モータ３８、複数のヒータ３９、複数のファン４０および除湿機４１を制御する。これにより、温室１１内の環境および鉢２の土壌水分は、管理者端末７７が生成した判定テーブル６２の条件に基づいて制御される。
【００６９】
また、コントローラ６１は、周期的に取得した各種の検出値をフラッシュメモリに保存する。これにより、フラッシュメモリには、各種の検出値を時系列に蓄積したログデータ６３が保存される。なお、コントローラ６１は、各種の検出値とともに、各種の制御値をフラッシュメモリに保存するようにしてもよい。
【００７０】
また、管理者端末７７は、管理者による入力デバイス７６の所定の操作に基づいて、ログデータ６３の送信要求やネットワークカメラ２８の撮像画像の送信要求を生成する。管理者端末７７は、生成したこれらの送信要求を、通信網７２を介してサーバ装置７１へ送信する。サーバ装置７１は、要求されたデータを、ＬＡＮ６４を介してコントローラ６１あるいはネットワークカメラ２８から取得する。サーバ装置７１は、取得したデータを表示するための表示画面を生成し、その画面のデータを管理者端末７７へ送信する。
【００７１】
図６は、管理者端末７７のモニタ７８に表示されるログデータ６３の表示画面である。この表示画面には、ログデータテーブル９１が表示される。ログデータテーブル９１において、縦方向には複数の時刻が、横方向には複数の検出値が並べられている。ある時刻における複数の検出値は、横に並べて表示される。ログデータ６３として蓄積される検出値としては、たとえばｐＦ値、糖度値などがある。
【００７２】
管理者は、管理者端末７７において、ｐＦ値などを参照することで、マンゴの木１およびそれになる果実５の発育環境を把握することができる。また、管理者は、管理者端末７７において、たとえば糖度センサ２７の検出値である糖度値などを参照することで、果実５の発育状況を把握することができる。
【００７３】
図７は、管理者端末７７のモニタ７８に表示される撮像画像の表示画面である。撮像画像１０１は、フルカラーでモニタ７８の中央に表示される。また、この表示画面において、撮像画像１０１の周囲には、上下左右前後の矢印ボタン１０２が表示される。
【００７４】
管理者の操作に基づいていずれかの矢印ボタン１０２を選択すると、管理者端末７７は、その選択した方向の情報をサーバ装置７１へ送信する。サーバ装置７１は、この方向の情報に基づいて、管理者端末７７が選択した方向へカメラを動作させる指示をネットワークカメラ２８へ送信する。
【００７５】
ネットワークカメラ２８は、指示にしたがって撮像範囲をその選択方向へずらし、その制御後の撮像画像をサーバ装置７１へ送信する。サーバ装置７１は、新たに受信した撮像画像を表示する表示画面を生成し、その画面のデータを管理者端末７７へ送信する。管理者端末７７のモニタ７８に表示される撮像画像１０１は、管理者が指定した方向の画像に更新される。
【００７６】
管理者は、管理者端末７７において、ネットワークカメラ２８を上下左右前後に動かし、温室１１内の状況を確認することができる。管理者は、管理者端末７７において、果実５のカラー撮像画像を参照することで、果実５の発育段階などを把握することができる。
【００７７】
管理者端末７７に表示されるこれらのログデータテーブル９１および撮像画像１０１に基づいて、管理者は、マンゴの木１およびそれになる果実５の発育状況を把握することができる。そして、それらの発育状況に応じて、上述したように判定テーブル６２を更新する。なお、管理者は、マンゴの木１の育成段階に応じた年間スケジュールや季節の移り変わりに応じた育成データなどを参照して、判定テーブル６２を適宜更新するようにしてもよい。
【００７８】
これにより、マンゴの木１は、遠隔地にいる管理者の管理の下で、温室１１内で育ち、果実５をつけることができる。
【００７９】
また、たとえば、マンゴの果実５が色づいてきて且つ糖度センサ２７の検出値が所定の値になり、その収穫期になったと判断すると、管理者は、判定テーブル６２に登録する土壌水分量の最小判定値および最大判定値を変更する。具体的には、マンゴの木１への給水量が、マンゴの果実５を収穫する時期の一般的な給水量の半分程度となるように、土壌水分量の最小判定値および最大判定値を小さい値へ変更する。なお、土壌３の水分量は、その検出値が小さいときに少ない。
【００８０】
このように果実５の収穫期においてマンゴの木１への給水量を制限すると、その木１になる果実５の水分が減る。その結果、果実５の水分量に応じて変化する果実５の糖度が増す。一般的な育成方法により得られる果実５の糖度は、高くても１６度程度であるが、収穫期にこのような給水制限制御を実行することで、果実５の糖度を２０度程度まで上昇させることが可能である。収穫される果実５は、一般的に流通しているマンゴの果実５より甘くなる。
【００８１】
なお、収穫期の給水制限は、収穫期において長くとも１０日程度の期間とするとよい。給水を制限すると、木１は枯れ始める。木１が完全に枯れてしまうと、その木１に再び果実５をならせることができない。１０日程度の期間であれば、木１を完全に枯らしてしまうことはない。
【００８２】
また、収穫期の給水制限は、段階的に制限するようにするとよい。一般的には、２から４日程度の期間で、目標とする給水量となるように段階的に制限すればよい。
【００８３】
次に、遠隔育成販売システムにおける、果実５の販売に関する制御動作について説明する。
【００８４】
ユーザ端末７４は、果実５の購入予定者による入力デバイス７３の操作に基づいて、ホームページの送信要求を生成し、通信網７２へ送出する。サーバ装置７１は、通信網７２へ送出されたホームページの送信要求を受信する。
【００８５】
ホームページの送信要求を受信すると、サーバ装置７１は、ＬＡＮ６４を介してコントローラ６１に判定テーブル６２の送信を要求する。コントローラ６１は、その内部のフラッシュメモリに記憶する判定テーブル６２を読み込み、そのデータをサーバ装置７１へ送信する。
【００８６】
サーバ装置７１は、また、ＬＡＮ６４を介してネットワークカメラ２８に撮像画像の送信を要求する。ネットワークカメラ２８は、撮像画像のデータをサーバ装置７１へ送信する。
【００８７】
判定テーブル６２のデータおよび撮像画像のデータを受信すると、サーバ装置７１は、判定テーブル６２に含まれる給水グループ毎の最新の糖度データと、撮像画像とを表示する表示画面を生成し、その画面のデータを通信網７２を介してユーザ端末７４へ送信する。
【００８８】
図８は、ユーザ端末７４のモニタ７５に表示されるホームページの表示画面である。図８の表示画面の中央には、ネットワークカメラ２８で撮像されたフルカラーの撮像画像１１１が表示される。撮像画像１１１の周囲には、上下左右前後の矢印ボタン１１２が表示される。撮像画像１１１の下には、給水グループ毎の最新の糖度値のリスト１１３と、識別番号入力ボックス１１４と、購入ボタン１１５と、が表示される。
【００８９】
購入予定者により入力デバイス７３を用いて上下左右前後のいずれかの矢印ボタン１１２が操作されると、ユーザ端末７４は、その選択した方向の情報をサーバ装置７１へ送信する。サーバ装置７１は、この方向の情報に基づいて、管理者端末７７が選択した方向へカメラを動作させる指示をネットワークカメラ２８へ送信する。
【００９０】
ネットワークカメラ２８は、指示にしたがって撮像範囲をその選択方向へずらし、その制御後の撮像画像をサーバ装置７１へ送信する。サーバ装置７１は、新たに受信した撮像画像を表示する表示画面を生成し、その画面のデータをユーザ端末７４へ送信する。ユーザ端末７４のモニタ７５に表示される撮像画像１１１は、購入予定者が指定した方向の画像に更新される。
【００９１】
購入予定者は、このようにネットワークカメラ２８を操作し、購入する果実５を決定する。購入を決定した後、購入予定者は、撮像画像１１１内において購入を決定した果実５とともに写っているタグ６の識別番号を、識別番号入力ボックス１１４に入力し、購入ボタン１１５を操作する。この購入予定者の操作に基づいて、ユーザ端末７４は、識別番号入力ボックス１１４に入力された識別番号をサーバ装置７１へ送信する。
【００９２】
サーバ装置７１は、受信した識別番号を、購入データとして保存する。温室１１で働く従業者は、サーバ装置７１に保存された購入データを確認し、購入された識別番号の鉢２および果実５を特定し、収穫する。従業者は、収穫した果実５を購入者へ発送する。
【００９３】
以上のように、この実施の形態では、販売するマンゴの果実５そのもののカラー画像および糖度情報を、通信網７２を通じてユーザ端末７４へ提供することができる。その結果、ユーザ端末７４を使用して果実５を購入する購入者は、実際に購入するマンゴの果物そのものの見た目と、糖度とを確認することができる。購入者は、カラー画像によりマンゴの果実５の色、形、大きさ、出来具合を確認し、糖度情報により果実５の甘さを認識することができる。
【００９４】
また、購入者は、撮像画像１１１においてマンゴの果実５とともに撮像されるタグ６に記載される識別番号を指定し、購入する果実５を個別に指定する。販売者は、その識別情報に基づいて、購入者が購入を指定した果実５を一意に特定することができる。なお、タグ６は、複数の果実５毎にグループ化し、そのグループ毎に共通の識別番号を使用するようにしてもよい。この場合、そのグループ単位で個別に指定して購入することが可能のとなる。
【００９５】
したがって、購入者は、産直販売所において売られているマンゴの果実５を購入する場合と同様に、生産者から直接に、実際に購入する果実５の色、大きさ、出来具合、甘さなどの事柄を購入前に確認した上で、購入することができる。さらに、購入者は、果実５の育成環境を確認した上で安心して購入することができる。
【００９６】
また、この実施の形態では、マンゴの果実５は、温室１１内で育成している状態のままで、販売される。注文後に、マンゴの果実５は、マンゴの木１から収穫される。購入者は、発送直前まで木になり、良く熟して且つ採れたての新鮮な果実５を購入することができる。
【００９７】
また、この実施の形態では、収穫期にあるマンゴの木１への給水量を、マンゴの木１の収穫期の一般的な給水量より制限している。その結果、販売者は、果実５の糖度を一般に流通するものより高くして販売することができる。一般に流通するものより甘い高品質の果実５を販売することができる。
【００９８】
また、この実施の形態では、室温センサ２４、湿度センサ２５などは表示部を有する。したがって、この表示部をネットワークカメラ２８で撮像することで、温室１１内の育成環境が設定どおりとなっているか否かを確認することができる。コントローラ６１の故障などにより温室１１内の環境が異常な状態となっていないことを遠隔地において確認することができる。
【００９９】
以上の各実施の形態は、本発明の好適な実施の形態の例であるが、本発明は、これに限定されるものではなく、発明の要旨を逸脱しない範囲おいて種々の変形、変更が可能である。
【０１００】
たとえば、上記実施の形態では、マンゴの木１を鉢２に植えている。この他にもたとえば、イチゴ、スイカ、その他の果実５を鉢２に植えるようにしてもよい。また、もも、梨、ぶどうなどの比較的大きく成長する果実５がなる植物を温室１１内で育成してその果実を販売するようにしてもよい。
【０１０１】
上記実施の形態では、管理者端末７７を使用する管理者が判断をし、判定テーブル６２の判定値および制御値を更新している。この他にもたとえば、管理者端末７７が、予め登録された判断基準によりたとえば果実５のでき頃などを自動的に判断し、判定テーブル６２の判定値および制御値を更新するようにしてもよい。また、管理者端末７７は、判定テーブル６２の替わりに、あるいは、判定テーブル６２とともに、コントローラプログラムを更新するようにしてもよい。
【０１０２】
上記実施の形態では、温室１１には、一対の可動天窓３１、外部ロールカーテン３２、内部ロールカーテン３７、天井ロールスクリーン３５などを設けている。この他にも、温室１１に、遮光カーテン、冷房設備、炭酸ガス発生装置などを設けるようにしてもよい。また、コントローラ６１に、時刻タイマなどを設けるようにしてもよい。これにより、日の出あるいは日の入りの時刻などに応じて、一対の可動天窓３１の開閉などの制御を実施することができる。
【０１０３】
上記実施の形態では、ネットワークカメラ２８は１台であり、糖度センサ２７は、給水グループ毎に設けている。この他にもたとえば、温室１１内に複数台のネットワークカメラ２８を設けたり、果実５毎に糖度センサ２７を設けたりしてもよい。また、ネットワークカメラ２８や糖度センサ２７は、温室１１内において天井走行クレーンと同様の吊り下げ方で配設され、温室１１内において移動可能に配設するようにしてもよい。
【０１０４】
上記実施の形態では、各果実５と対応付けて、識別番号が印刷されたタグ６を配設している。この他にもたとえば、店舗において商品などに取り付けてその盗難を防止するために使用される所謂アクティブタグ６を、各果実５と対応付けて配設するようにしてもよい。アクティブタグ６は、周期的に識別番号などの情報を発信する。この発信情報を適宜取得できる装置を設けることで、温室１１の管理者は、温室１１内にある鉢２を、その事前登録などをすることなく容易に把握することができる。
【０１０５】
上記実施の形態では、給水装置は、水を供給している。この他にもたとえば、給水装置は、液肥や液肥と水とを混ぜた栄養水などを供給するようにしてもよい。
【産業上の利用可能性】
【０１０６】
本発明は、マンゴ、イチゴ、スイカ、その他の果実を、ネットワークを通じて販売する果実販売システムに利用することができる。
【図面の簡単な説明】
【０１０７】
【図１】図１は、実施の形態に係る遠隔育成販売システムにより育成されるマンゴの木の鉢植えを示す説明図である。
【図２】図２は、実施の形態に係る遠隔育成販売システムの構成を示すシステム構成図である。
【図３】図３は、図２の遠隔育成販売システムで用いる各種のセンサの温室内の配置の一例を示す図である。
【図４】図４は、図２の遠隔育成販売システムの温室で用いる給水装置の構成を示す図である。
【図５】図５は、管理者端末のモニタに表示される判定テーブルの表示画面である。
【図６】図６は、管理者端末のモニタに表示されるログデータの表示画面である。
【図７】図７は、管理者端末のモニタに表示される撮像画像の表示画面である。
【図８】図８は、ユーザ端末のモニタに表示されるホームページの表示画面である。
【符号の説明】
【０１０８】
１  マンゴの木（植物）
２  鉢（容器）
５  マンゴの果実（果実）
６  タグ
１１  温室
２７  糖度センサ（糖度検出手段）
２８  ネットワークカメラ（カラー撮像手段）
３０  電磁弁装置（給水装置の一部）
５１  給水管（給水装置の一部）
５２  加圧ポンプ（給水装置の一部）
６１  コントローラ（制御手段）
７１  サーバ装置（通信手段）
７２  通信網（ネットワーク）
７４  ユーザ端末（購入者が使用する端末）
【図１】
2006309327.tif 000003
【図２】
2006309327.tif 000004
【図３】
2006309327.tif 000005
【図４】
2006309327.tif 000006
【図５】
2006309327.tif 000007
【図６】
2006309327.tif 000008
【図７】
2006309327.tif 000009
【図８】
2006309327.tif 000010